(57)【要約】【課題】  移動させたり持ち運ぼうとする製品の重量が重くなっても、コストを抑えて、容易にしっかりと握ることができる取っ手構造を提供する。【解決手段】  除湿機１では、前面パネル、背面部、１対の側面部４、上面部、底面部によってケーシングが構成されている。側面部４の上部には、指を装着する差し入れ部４ａが設けられ、その差し入れ部４ａと、上面部における側面部４側の上面端部５ａとによって取っ手構造が形成されている。差し入れ部４ａに差し入れられた人差し指、中指、薬指および小指の４本の指差し入れ上面部に接触し、親指とその親指の付け根部分は上面端部５ａに接触する。側面部４を正面から見て、差し入れ上面部および上面端部５ａは、それぞれ下に向かって凸状の円弧の一部となるように形成されている。【選択図】        図４
2006240715.tif 000002
【特許請求の範囲】
【請求項１】
所定の筐体に設けられ、人差し指、中指、薬指および小指の４本指と、これら４本の指と対向する親指およびその親指の付け根部分とで挟み込む態様の取っ手を有する取っ手構造であって、
前記取っ手は、
前記４本の指が宛がわれる第１接触部と、
前記第１接触部と対向し、前記親指および前記親指の付け根部分が宛がわれる第２接触部と
を備え、
前記第１接触部および前記第２接触部は、前記取っ手を挟み込んだ状態における手の形状に沿うように丸みがつけられた、取っ手構造。
【請求項２】
前記取っ手は左右１対配設された、請求項１記載の取っ手構造。
【請求項３】
前記第１接触部は、前記取っ手を挟み込んだ状態で前記４本の指の配列された方向に沿って下に向かって凸となるように形成され、
前記第２接触部は、前記親指および前記親指の付け根部分に沿った方向に対して、下に向かって凸となるように形成された、請求項１または２に記載の取っ手構造。
【請求項４】
前記第１接触部には、前記第２接触部の側に向かって窪んだへこみ部が形成された、請求項１〜３のいずれかに記載の取っ手構造。
【請求項５】
前記へこみ部は、前記４本の指のそれぞれに対応する窪みを含む、請求項４記載の取っ手構造。
【請求項６】
前記第１接触部には滑り止めのための所定の凹凸部が形成された、請求項１〜５のいずれかに記載の取っ手構造。
【請求項７】
前記筐体は、
上面部と、
前記上面部の端部に接続された側面部と、
前記側面部に設けられた凹部と
を含み、
前記第１接触部は前記上面部における前記端部の側に位置する面であり、
前記第２接触部は前記凹部における上面部側に位置する面である、請求項１〜６のいずれかに記載の取っ手構造。
【請求項８】
前記側面部に設けられた凹部は、前記側面部と一体的に形成された、請求項７記載の取っ手構造。
【請求項９】
前記側面部と前記凹部とは別体とされた、請求項７記載の取っ手構造。
【発明の詳細な説明】
【技術分野】
【０００１】
本発明は取っ手構造に関し、特に、電化製品を含め種々の物品に適用される取っ手構造に関するものである。
【背景技術】
【０００２】
電化製品には室内で移動させたり、あるいは、持ち運びをするために取っ手が設けられている。そのような取っ手が設けられた従来の電化製品の一例として、特許文献１に開示された空気調和機（除湿機）について説明する。図１０に示すように、空気調和機１０１では、ケーシングの所定の位置に空気を取り込むための吸込口１０２と、空気を吹出すための吹出口１０３，１０４が設けられている。そのケーシング内には、蒸発器、凝縮器および送風機（いずれも図示せず）等が配設されている。吸込口１０２よりケーシング内に取り込まれた空気は蒸発器によって冷風とされ、一方、凝縮器によって温風とされる。発生した冷風あるいは温風は、送風機によって吹出口１０３，１０４から室内に向かって送り出されることになる。
【０００３】
そのような空気調和機１０１の上面部には、操作パネル１０５と持ち運び用の取っ手１０６が設けられている。また、空気調和機１０１の下面部には、移動を容易にするためのキャスタ（図示せず）が取り付けられている。この取っ手１０６は、通常の状態では上面部の側に倒された状態（実線の取っ手１０６ａ）とされる。一方、空気調和機１０１を移動させたり等する際には取っ手１０６が起こされた状態（想像線の取っ手１０６ｂ）とされて、その起こされた取っ手１０６を掴むことで空気調和機１０１の移動等が行なわれることになる。
【特許文献１】特開２００３−３１４８５５号公報
【発明の開示】
【発明が解決しようとする課題】
【０００４】
しかしながら、従来の電化製品等の取っ手においては次のような問題点があった。電化製品として、たとえば、より多くの機能をもたせることで重量が重くなったり、あるいは、部屋の大きさに対応するためにサイズを大きく等する場合には、その電化製品の重量や大きさに応じて取っ手の強度を補強する必要が生じる。そのため、上述した従来の取っ手１０６では、取っ手１０６の取り付け部分をより頑丈なものにしたり、取っ手１０６そのものにも強度をもたせる必要があり、コストがアップするという問題があった。
【０００５】
本発明は、上記問題点を解決するためになされたものであり、その目的は、移動させたり持ち運ぼうとする物品の重量が重くなっても、コストを抑えて、容易にしっかりと握ることができる取っ手構造を提供することである。
【課題を解決するための手段】
【０００６】
本発明に係る取っ手構造は、所定の筐体に設けられ、人差し指、中指、薬指および小指の４本指と、これら４本の指と対向する親指およびその親指の付け根部分とで挟み込む態様の取っ手を有する取っ手構造である。その取っ手は、第１接触部と第２接触部とを備えている。第１接触部には４本の指が宛がわれる。第２接触部はその第１接触部と対向し、親指およびその親指の付け根部分が宛がわれる。第１接触部および第２接触部には、取っ手を挟み込んだ状態における手の形状に沿うように丸みがつけられている。
【０００７】
この構造によれば、第１接触部および第２接触部に取っ手を挟み込んだ状態における手の形状に沿うように丸みがつけられていることで、取っ手を挟み込む際に４本の指が第１接触部にフィットするとともに、親指およびその付け根部分が第２接触部にフィットして、第１接触部と第２接触部との間の部分を確実に握りやすくすることができる。これにより、取っ手を挟み込む際に手に力が入れやすくなって、移動や持ち運びをより容易に、かつ、安全に行なうことができる。しかも、指が接触する部分の成型だけで、付加的な補強部材等も不要でコストの上昇も抑制することができる。
【０００８】
また、そのような取っ手を左右１対配設させることで、より確実に移動や持ち運びを行なうことができる。
【０００９】
取っ手を挟み込んだ状態における手の形状に沿うようにするには、第１接触部は、取っ手を挟み込んだ状態で４本の指の配列された方向に沿って下に向かって凸となるように形成され、第２接触部は、親指およびその親指の付け根部分に沿って下に向かって凸となるように形成されていることが好ましい。
【００１０】
また、第１接触部には、第２接触部の側に向かって窪んだへこみ部を形成することが好ましく、これにより、取っ手をより確実に握ることができる。
【００１１】
さらに、そのへこみ部は４本の指のそれぞれに対応する窪みを含むようにしてもよい。この場合には、４本の指をより確実に第１接触にフィットさせることができる。
【００１２】
また、第１接触部には滑り止めのための所定の凹凸部が形成されていてもよい。
【００１３】
この場合には、取っ手を挟み込んだ状態で指が抜けるようなことを抑制することができる。
【００１４】
また、筐体は、上面部とその上面部の端部に接続された側面部とその側面部に設けられた凹部とを含み、第１接触部を上面部における端部の側に位置する面とし、第２接触部を凹部における上面部側に位置する面とすることが好ましい。
【００１５】
これにより、筐体から突出しない取っ手とすることができる。
【００１６】
その側面部に設けられた凹部は側面部と一体的に形成されていることが好ましい。
【００１７】
これにより、組立て部材の点数を削減してコストを抑制することができる。
【００１８】
また、側面部と凹部とは別体とされていてもよい。
【００１９】
この場合には、凹部として手の形状を反映したより複雑な形状の凹部を形成することができる。
【発明を実施するための最良の形態】
【００２０】
本発明の実施の形態に係る取っ手構造の一例として、除湿機に設けられる取っ手構造について説明する。まず、除湿機の全体構造について説明する。図１および図２に示すように、除湿機１では、前面パネル２、背面部３、１対の側面部４、上面部５、底面部６によってケーシング７が構成されている。上面部５から前面パネル２の上端部にかけて前面吹出口９が形成されている。前面吹出口９には、空気を所定の方向に向かって吹出させるためのルーバ１０が配設されている。背面部３には、第１吸込口１２、第２吸込口１３および背面吹出口１４が形成されている。
【００２１】
ケーシング７の内部では、背面部３側の上部に冷風を発生させるための蒸発器１５が配設されている。その蒸発器１５の下方には、温風を発生させるための凝縮器１６が配設されている。蒸発器１５と前面パネル２との間には、第１吸込口１２から空気を吸込んで蒸発器１５を通過させるためのクロスフローファン１７が配設されている。また、凝縮器１６と前面パネル２との間には、第２吸込口１３から空気を吸込んで凝縮器１６を通過させるためのシロッコファン１８が配設されている。そのシロッコファン１８と前面パネル２との間には、蒸発器１５において結露した水分を貯留する排水タンク２０が配設されている。
【００２２】
クロスフローファン１７とシロッコファン１８との間には、凝縮器１６によって発生した温風の流路を運転モードに応じて切り替えるための所定の流路ガイド１９が配設されている。凝縮器１６によって発生した温風を冷風と合流させて前面吹出口９から吹出させる第１の運転モードでは、流路ガイド１９は、温風を前面パネル２の側に導くように回動され、冷風だけを前面吹出口９から吹出させる第２の運転モードでは、温風を背面吹出口１４から吹出させるために温風を背面部３の側に導くよう回動される。なお、この運転モードの切り換え等は、上面部５に設けられた操作パネル１１から行なわれることになる。
【００２３】
そして、この除湿機１では、図１に示すように、側面部４の上部に指を差し入れる差し入れ部４ａが設けられ、その差し入れ部４ａと、上面部５における側面部４側の上面端部５ａとによって取っ手構造８が形成されている。その取っ手構造８についてさらに詳しく説明する。図３および図４に示すように、差し入れ部４ａには、手２１の指のうち、人差し指２２、中指２３、薬指２４および小指２５の４本の指が差し入れられ、それらの指は差し入れ部４ａにおける差し入れ上面部４ａａに接触する。一方、この４本の指と対向する親指２６とその親指の付け根部分は上面端部５ａに接触する。こうして差し入れ上面部４ａａと上面端部５ａとの間の部分が、４本の指と親指等とによって挟み込まれることになる。
【００２４】
その差し入れ上面部４ａａは、４本の指の配列方向に沿って下に向かって凸となるように形成され、上面端部５ａは親指および親指の付け根部分に沿って下に向かって凸となるように形成されている。すなわち、具体的には、図５に示すように、側面部４を正面から見て、差し入れ上面部４ａａおよび上面端部５ａは、それぞれ下に向かって凸状の円弧の一部となるように形成されている。その差し入れ上面部４ａａの円弧の部分の半径Ｒは、たとえば約２８５ｍｍとされ、また、上面端部５ａの円弧の部分の半径ｒは約２５７ｍｍとされる。そして、差し入れ上面部４ａａと上面端部５ａとの間隔Ｌは約２８ｍｍとされる。この差し入れ上面部４ａａと上面端部５ａとによる取っ手構造８は、図６に示すように、左右１対となるように互いに対向する側面部４にそれぞれ設けられている。
【００２５】
上述した除湿機１の取っ手構造８では、人差し指、中指、薬指および小指の４本の指と、これらの指に対向する親指およびその付け根部分とで挟み込む態様の取っ手構造８が採用され、その取っ手構造８において、４本の指が接触する差し入れ部４ａの差し入れ上面部４ａａが凸状の円弧の一部となるように形成され、そして、親指とその付け根部分が接触する上面端部５ａも、凸状の円弧の一部となるように形成されている。
【００２６】
これにより、差し入れ上面部４ａａと上面端部５ａとの間の部分を４本の指と親指等とで挟み込む際に、４本の指が差し入れ上面部４ａａにフィットするとともに、親指およびその付け根部分が上面端部５ａにフィットして、差し入れ上面部４ａａと上面端部５ａとの間の部分が握りやすくなる。これにより、取っ手構造８を挟み込む際に手に力が入れやすくなって、たとえ除湿機１の重量が増えたとしても、除湿機１の移動や持ち運びをより容易に、かつ、安全に行なうことができる。しかも、指が接触する部分の成型だけで、付加的な補強部材等も不要でコストの上昇も抑制することができる。
【００２７】
なお、上述した除湿機１における取っ手８構造としては、たとえば図７に示すように、差し入れ部４ａにおいて差し入れられた４本の指が接触する差し入れ上面部４ａａの部分に、上面端部５ａの側に向かって窪んだへこみ４ａｂを形成するようにしてもよい。これにより、指で挟み込む際に力がより入れやすくなる。また、このへこみ４ａｂを４本の指の形状に合わせて形成するようにしてもよい。
【００２８】
また、図８に示すように、差し入れ上面部４ａａの部分に滑り止めのための凹凸部４ａｃを形成するようにしてもよく、これにより、手が滑って差し入れ部４から指が容易に抜けるようなことがなくなって、移動や持ち運び等の安全性をさらに高めることができる。
【００２９】
さらに、差し入れ部４ａとしては、側面部４に凹みを一体的に形成した態様のものの他に、たとえば、図９に示すように、側面部４にあらかじめ設けた開口部４ｂに対して、差し入れ部に対応する差し入れ成型体４４をその開口部４ｂに装着させる態様のものであってもよい。
【００３０】
さらに、上述した実施の形態では、除湿機１に適用される取っ手構造８を例に挙げて説明したが、この取っ手構造８としては除湿機１に限られず、たとえば石油ファンヒータ等の他の電化製品、あるいは電化製品に限られず、たとえば家具や容器等の移動や持ち運び等にも適用することができる。
【００３１】
なお、今回開示された実施の形態は例示であってこれに制限されるものではない。本発明は上記で説明した範囲ではなく、特許請求の範囲によって示され、特許請求の範囲と均等の意味および範囲でのすべての変更が含まれることが意図される。
【図面の簡単な説明】
【００３２】
【図１】本発明の実施の形態に係る取っ手構造を備えた除湿機の斜視図である。
【図２】同実施の形態において、図１に示す断面線ＩＩ−ＩＩにおける除湿機の断面斜視図である。
【図３】同実施の形態において、取っ手構造を示す第１の部分斜視図である。
【図４】同実施の形態において、取っ手構造を示す第２の部分斜視図である。
【図５】同実施の形態において、取っ手構造を示す部分平面図である。
【図６】同実施の形態において、取っ手構造を示す第３の部分斜視図である。
【図７】同実施の形態において、変形例に係る取っ手構造を示す部分断面図である。
【図８】同実施の形態において、他の変形例に係る取っ手構造を示す部分断面図である。
【図９】同実施の形態において、さらに他の変形例に係る取っ手構造を示す部分分解斜視図である。
【図１０】従来の取っ手構造を備えた除湿機の斜視図である。
【符号の説明】
【００３３】
１  除湿機、２  前面パネル、３  背面部、４  側面部、４ａ  差し入れ部、４ａａ  差し入れ上面部、４ａｂ  へこみ、４ａｃ  凹凸部、４ｂ  開口部、４４  差し入れ成型体、５  上面部、６  底面部、７  ケーシング、８  取っ手構造、９  前面吹出口、１０  ルーバ、１１  操作パネル、１２  第１吸込口、１３  第２吸込口、１４  背面吹出口、１５  蒸発器、１６  凝縮器、１７  クロスフローファン、１８  シロッコファン、１９  流路ガイド、２０  排水タンク。
【図１】
2006240715.tif 000003
【図２】
2006240715.tif 000004
【図３】
2006240715.tif 000005
【図４】
2006240715.tif 000006
【図５】
2006240715.tif 000007
【図６】
2006240715.tif 000008
【図７】
2006240715.tif 000009
【図８】
2006240715.tif 000010
【図９】
2006240715.tif 000011
【図１０】
2006240715.tif 000012